(57)【要約】【課題】使用者による省エネの努力が目に見えるようにした資源利用機器を提供する。【解決手段】運転によって消費される資源の量を計測する計測回路１３と、計測された前記消費資源量を表示する液晶パネル１１とを備え、前記消費資源量の前記液晶パネル１１への表示を、運転終了後に、リアルタイムに又は、所定期間経過後に行なうように切り替えられるもので、消費資源量を表示手段に表示することにより、使用者による省エネに対する取組みの努力が一目瞭然に解り、省エネに対する使用者の意識が高められ、持続でき、省エネの効果が向上する。また、表示タイミングが使用者の使用スタイル、好みに合せて切り替えられるので、使用者毎に、機器の運転終了後に、リアルタイムに、或いは所定期間経過後に消費資源量を表示させて、次の省エネ目標を設定し、省エネ対策を講ずることができる。【選択図】図１
2006023813.tif 000002
【特許請求の範囲】
【請求項１】
資源利用機器の運転によって消費される資源の量を計測する計測手段と、計測された前記消費資源量を表示する表示手段とを備え、前記消費資源量の前記表示手段への表示を、運転終了後に、リアルタイムに又は、所定期間経過後に行なうように切り替えられる事を特徴とする資源利用機器。
【請求項２】
複数の資源を消費する請求項１記載の資源利用機器。
【発明の詳細な説明】
【技術分野】
【０００１】
本発明は、電気機器、ガス機器などその運転時に資源を消費する資源利用機器に関するものである。
【背景技術】
【０００２】
近年、資源利用機器（以下、「機器」という）に対し、その使用による環境負荷の低減が求められるようになってきた。そのため、機器による電気、水、ガス、石油等の資源の消費量を削減する必要があり、メーカに機器の改善が要求され、各種機器は、色々な工夫がされ、省エネルギー対策が施されてきた（例えば、特許文献１参照）。同時に、機器の使用者に対しても、省エネ効果を高めるために、省エネに対する意識の向上や、機器を上手く使うことが、求められるようになってきた。
【特許文献１】特開２００４−１０５２６６号公報
【発明の開示】
【発明が解決しようとする課題】
【０００３】
しかしながら、使用者が省エネに対する取組みの成果や、効果を知る方法として、従来の機器では、メーカのカタログ等に明示された電気、ガス、石油などの消費資源量で、およその効果は解るものの、ダイレクトに効果を知らせるものはなかった。また、従来の機器は、利用する運転コースや、行程、残時間表示等の機能を有していたが、消費資源量を直接表示する機能を有していなかった。そのため、使用者の省エネに対する努力が、どれだけの効果があるか解らず、使用者が省エネに対する意識を高く持ち続けることが難しかった。それ故、メーカに対し、使用者の省エネに対する努力が見える製品を供給することも求められるようになった。
【０００４】
本発明は、前記従来の課題を解決するもので、使用者の省エネの努力を見える形にし、省エネに対する使用者の意識を高め、持続できるようにし、省エネに対する使用者の努力の効果を上げ、より一層、資源利用機器による電気、水、ガス、石油等の資源の消費量を削減し、環境負荷を低減することを目的としている。
【課題を解決するための手段】
【０００５】
前記従来の課題を解決するために、本発明の資源利用機器は、資源利用機器の運転によって消費される資源の量を計測する計測手段と、計測された前記消費資源量を表示する表示手段とを備え、前記消費資源量の前記表示手段への表示を、運転終了後に、リアルタイムに又は、所定期間経過後に行なうように切り替えられるもので、消費資源量を表示手段に表示することにより、使用者による省エネに対する取組みの努力が一目瞭然に解り、省エネに対する使用者の意識が高められ、持続でき、省エネの効果が向上する。また、表示タイミングを使用者の使用スタイル、好みに合せて切り替えられるので、使用者毎に、機器の運転終了後に、リアルタイムに又は、所定期間経過後に消費資源量を表示させて、消費資源量を実感し、次の省エネ目標を設定し、省エネ対策を講ずることができる。
【発明の効果】
【０００６】
本発明の資源利用機器は、使用者が行った省エネに対する取組みの努力の成果が、消費資源量という値で一目瞭然に解り、省エネに対する使用者の意識を高め、持続でき、省エネに対する使用者の効果を上げる。よって、より一層、消費資源量を削減でき、環境負荷が低減できるようになる。
【発明を実施するための最良の形態】
【０００７】
第１の発明は、資源利用機器の運転によって消費される資源の量を計測する計測手段と、計測された前記消費資源量を表示する表示手段とを備え、前記消費資源量の前記表示手段への表示を、運転終了後に、リアルタイムに又は、所定期間経過後に行なうように切り替えられるもので、消費資源量を表示手段に表示することにより、使用者による省エネに対する取組みの努力が一目瞭然に解り、省エネに対する使用者の意識が高められ、持続でき、省エネの効果が向上する。また、表示タイミングを使用者の使用スタイル、好みに合せて切り替えられるので、使用者毎に、機器の運転終了後に、リアルタイムに又は、所定期間経過後に消費資源量を表示させて、消費資源量を実感し、次の省エネ目標を設定し、省エネ対策を講ずることができる。
【０００８】
第２の発明は、特に、第１の発明の資源利用機器は、複数の資源を消費するもので、使用者の省エネに対する取組みの効果が、どの資源に対して省エネ効果があったのか、どの資源に対して省エネ効果が弱かったのかが良く解り、取組みに対しての目標がはっきりする。また、消費資源量トータルでの効果も解る。
【０００９】
以下、本発明の実施の形態について、図面を参照しながら説明する。なお、この実施の形態によって本発明が限定されるものではない。
【００１０】
（実施の形態）
資源利用機器として、食器洗い機、洗濯機、エアコン、ガスオーブン、石油ストーブ等色々あるが、本発明の第１の実施の形態を食器洗い機を例にして説明する。
【００１１】
図１は、本実施の形態における食器洗い機の断面図、図２は、同食器洗い機の制御パネルの平面図である。
【００１２】
図１、２において、食器洗い機本体２０は、内部に洗浄槽１を配設し、洗浄槽１内部に食器類２をセットする食器カゴ３が配設され、洗浄槽１の内面底部に湯沸し用のヒータ４と、洗浄水を噴射する洗浄ノズル５を回転自在に配設している。洗浄槽１の外面の底部に送風手段６を設けている。また、洗浄槽１前面に開口部１ａを設け、開口部１ａを扉体７により開閉している。前面の扉体７には、制御パネル８を配設している。
【００１３】
図２に示すように、制御パネル８には、食器洗い機を動作させるスイッチ９、運転コースを選択するスイッチ１０、食器洗い機の運転で消費される資源、即ち、電気、水道の消費量を表示する表示手段である液晶パネル１１を設けている。消費資源量の表示は、切替えスイッチ１２により、運転終了後に、リアルタイムに、あるいは所定期間経過後に表示させるか選択できるようになっている。また、扉体７には、使用電力量、使用水量を計測する計算手段として計測回路１３が設けられている。
【００１４】
次に、上記構成による食器洗い機の基本的な動作について述べる。
【００１５】
まず、使用者が扉体７を開放し、洗浄槽１内に配置された食器カゴ３に汚れた食器類２をセットする。つぎに、扉体７を閉め、制御パネル８に設けられた、運転コース、消費資源量の表示方法を選択しスイッチ１０、切替えスイッチ１２によって切替える。次に、スイッチ９をＯＮし、運転を開始する。運転中は洗浄槽１の内面の底部に配置されたヒータ４によって洗浄水を加熱しながら、洗浄ノズル５から食器類２に向かって洗浄水が噴射され、食器類２の汚れを落とす洗浄行程が行なわれる。その後、食器類２をすすぐ、すすぎ行程が行なわれる。次に、ヒータ４をＯＮし、送風手段６を駆動することによって、食器類２を乾かす乾燥行程が行なわれ、運転が終了する。
【００１６】
食器洗い機の運転中に消費した電力量、水量は、計測回路１３によって計測され、運転終了後に、その計測された消費資源量が、図２に示すように、扉体７に設けられた液晶パネル１１の表示部１１ａに表示される。
【００１７】
これにより、使用者が行った省エネに対する取組みの努力が、消費資源量という値で、一目瞭然に解るものである。
【００１８】
従来、機器による消費電力量、消費水量、消費ガス量を知りたい時、屋外に設置された電気メータ、水道メータ、ガスメータを見なければならず、非常に手間がかかるとと共に、それらのメータは、家の中の全ての機器の消費量を示すもので、個々の機器による消費量がまったく把握できなかったが、本実施の形態によれば、使用する資源利用機器毎にそれらの消費量を示す表示手段が付いているので、使用者の省エネを意識した資源利用機器の運転効果がすぐわかり、省エネに対する取り組みが促進されるものである。
【００１９】
また、使用者が資源利用機器を使う度に、資源利用機器の消費資源量の削減ができるということは、電気料金、水道料金の光熱費が下がるということにもなり、使用者の家庭の家計の節約にもつながる。
【００２０】
よって、省エネに対する使用者の努力の効果が見える形にできるので、省エネに対する使用者の意識を高め、持続できる。それ故、使用者の省エネに対する効果を上げ、より一層、資源利用機器の消費資源量を削減でき、環境負荷が低減できるようになる。
【００２１】
また、消費資源量の表示タイミングを使用者の使用スタイル、好みに合せて自由に切り替えることができるので、例えば、消費資源量の表示を運転終了後にするようにすれば、今回の運転で資源利用機器が使用した消費資源量が、前回の運転時に比べ、多いか少ないか判断しやすく、次回の資源利用機器の使用の際の工夫を使用者に、意識づけし易いという効果がある。
【００２２】
また、リアルタイムに表示させた場合は、より、ダイレクトに使用者の取組みへの意識を向上させることもできる。何故なら、資源利用機器を使うことによって、消費資源量が上がる過程を逐一、使用者自身が見ることになり、消費資源量の使用が、家計の出費につながることと連動し、ムダを省きたいという思いにつながり、省エネに対するさらなる意識向上につながる。
【００２３】
また、所定期間経過後に表示させた場合は、機器の運転によって所定期間に消費された消費資源量が、多いのか、少ないのかが、所定期間の消費資源量を計算の手間もいらず一目瞭然に解るという効果もある。よって、使用者の省エネに対する取組みを、継続させやすい。この所定期間ごとの消費資源量が解るということは、使用者が次の期間の省エネの目標が立てやすく、省エネの目標が、そのまま家計の電気料金、水道料金、ガス料金などの光熱費の節約目標となり、より一層、省エネに対する意識を向上させることができる。
【００２４】
なお、上記実施の形態では、資源利用機器の例として水、電気を用いた食器洗い機について述べたが、ガスを利用した炊飯器、給湯器、暖房機、石油を利用した給湯器、暖房機等でも良い。
【産業上の利用可能性】
【００２５】
以上のように、本発明にかかる資源利用機器は、消費資源量を表示することにより、使用者の省エネに対する意識を高め、持続させ、より省エネに対する効果を上げ、その結果、資源利用機器による電気、水、ガス、石油等の消費資源量を削減でき、環境負荷が低減できるもので、資源を消費するあらゆる機器、装置に適用できる。
【図面の簡単な説明】
【００２６】
【図１】本発明の実施の形態１における食器洗い機の断面図
【図２】同食器洗い機の制御パネルの平面図
【符号の説明】
【００２７】
１１  液晶パネル（表示手段）
１３  計測回路（計測手段）
【図１】
2006023813.tif 000003
【図２】
2006023813.tif 000004